(57)【要約】【課題】商品のパッケージはそのままあるいはより簡素化できるのであるが商品の広告や説明を十分に表示することができ、しかも従来の広告パネルのような掲示のための手間やスペースが不要である商品展示用の商品外装具を提供する。【解決手段】紙等の薄手のシート材よりなり、有底にして上部が開口する商品７収容用の筒状部１を備え、筒状部の外面に商品に関する説明等の印刷８が施されてなる構成とし、また前記筒状部の内面に、商品の取扱方法や注意書等の説明９を印刷し、さらに前記筒状部の上部に、筒状部の背部から上方に続く突片部を設け、この突片部に商品吊下げ用の孔をあけてなる構成のものとした。【選択図】  図１
2004315044.tif 000002
【特許請求の範囲】
【請求項１】
薄手のシート材よりなり、有底にして上部が開口する商品収容用の筒状部を備え、筒状部の外面に商品に関する説明等の印刷が施されてなる商品展示用の商品外装具。
【請求項２】
前記シート材が紙である請求項１に記載の商品展示用の商品外装具。
【請求項３】
前記筒状部の内面に、商品の取扱方法や注意書等の説明を印刷してなる請求項１に記載の商品展示用の商品外装具。
【請求項４】
前記筒状部の上部に、筒状部の背部から上方に続く突片部を設け、この突片部に商品吊下げ用の孔をあけてなる請求項１に記載の商品展示用の商品外装具。
【発明の詳細な説明】
【０００１】
【発明の属する技術分野】
本発明は、既に箱などの包装容器に入れた比較的小型の商品を収容して商品棚等に陳列するための外装具に関し、より詳しくは商品にＰＯＰ（Ｐｏｉｎｔ  ｏｆ  Ｐｕｒｃｈａｓｅ）広告や商品に関する説明を付すための外装具に関する。
【０００２】
【従来の商品展示手段とその問題点】
小売店等にて、箱などの包装容器に入れた商品を陳列、展示する場合、個別の商品を陳列棚に並べたり、Ｓ字状のフックで吊り下げたりするのが一般的であり、商品の販売促進を目的とするＰＯＰ広告を付す場合には陳列された商品近くの壁や陳列棚の一部に広告パネルを取り付けて、顧客の注目を集めるようにしている。
【０００３】
このような広告パネルは、単に顧客の注目や歓心を惹くという機能だけではなく、個別の商品には記載できない商品の特徴、例えば取り扱いが簡単であるとか安全であるとか、あるいはいかに新しい商品であるかというようなことを顧客にアピールすることができるという機能もある。
【０００４】
また商品によっては、例えば痔疾薬や衛生用品等の商品のように個別の商品パッケージにはその商品が何であるかを明記しない方が顧客にとって購入しやすくて好ましいものもあり、これらの商品の陳列コーナに広告パネルを設置しておけば商品パッケージに具体的な商品名を大きく表示しなくても顧客には商品が何であるかを把握することができ、しかも購入時にはあまり目立たなくて済むというメリットがある。
【０００５】
しかしながら、商品の製造者や卸業者が上述のような広告パネルを小売店に掲示してもらえるように頒布しても、小売店では掲示用のスペースが必要であり、掲示するのに手間も掛かるので、無制限に掲示してもらえるものではなく、また広告パネルはある程度の耐久性を要するので、制作コストも嵩むという問題がある。
【０００６】
ところで輸入商品を陳列、展示する場合、輸入商品のパッケージには通常生産地の言語が印刷されているので、日本語の商品説明を付す必要がある。特に商品が家庭用品や医薬品、医薬部外品などである場合には輸入者や販売者に、日本語の表示を付すことを義務付けられているものもある。
【０００７】
このような輸入商品を陳列、展示する場合、パッケージそのものを日本国内向けのものに変えるのが理想的ではあるが、小ロットの輸入の場合にはコストが掛かり過ぎるので、日本語のラベルを商品パッケージに貼り付けるのが一般的である。
【０００８】
しかしながら、商品パッケージにラベルを貼るのではいかにも体裁が悪く、またラベルには十分な商品説明を付すこともできないし、ましてや商品の取扱説明や注意書などを記載するスペースを取ることもできない。
なお、上述した広告パネルや商品パッケージ用のラベルは古くから広く使用されていて、特に例示するような特許文献やその他の刊行物はない。
【０００９】
【目的】
本発明の目的とするところは、商品のパッケージはそのままあるいはより簡素化できるのであるが商品の広告や説明を十分に表示することができ、しかも従来の広告パネルのような掲示のための手間やスペースが不要である商品展示用の商品外装具を提供することにある。
【００１０】
【発明の構成】
上記目的を達成するために、本発明に係る外装具は、薄手のシート材よりなり、有底にして上部が開口する商品収容用の筒状部を備え、筒状部の外面に商品に関する説明等の印刷が施されてなる構成のものとしてある。
【００１１】
また、前記シート材が紙であり、前記筒状部の内面に、商品の取扱方法や注意書等の説明を印刷し、前記筒状部の上部に、筒状部の背部から上方に続く突片部を設け、この突片部に商品吊下げ用の孔をあけたものとしてある。
【００１２】
【実施例】
以下、本発明に係る外装具の実施例を添付図面に示す具体例に基づいて説明する。
筒状部１は前板部１ａ、背板部１ｂ、左側板部１ｃ、右側板部１ｄを備える横断面が矩形を呈するの４角筒状のものとしてあり、筒状部は上方が商品の出し入れ口２として開口し、下方が底板部３にて塞がれている。
【００１３】
上記筒状部１の背部には、背板部１ｂから上方に続く突片部４を形成してあり、この突片部は基部４ａに続いて折り返し片部４ｂを備え、この折り返し片部は基部の上縁から前面側へ折り返されて突片部が２重となるように補強するための構成としてあって、突片部には基部と折り返し片部とを前後に貫通する吊り下げ用孔５をあけてある。
【００１４】
前記左右の側板部１ｃ、１ｄの各上縁部には切欠部６、６を形成してあるとともに、前板部１ａの上縁部が左右の側板部の後部側上縁よりも低い位置となるようにしてあって、図１中仮想線で示されるように商品７の上部が上方へ突出して外装具の外側から見えるようにしてある。
【００１５】
しかして筒状部１の外面には、図１に示されるように商品のキャッチフレーズや図柄等の印刷８が施されており、また筒状部の内面には図２に示されるように商品の取扱説明や注意書等の印刷９が施されている。
【００１６】
上述した本発明の外装具は、紙や合成樹脂材フィルムよりなる薄手のシート材を例えば図２に示される展開図のように形成し、同図２中の破線で示した折り目１０で谷折りするとともに、糊代１１に接着剤と塗布して筒状に組み立てて制作する。
【００１７】
なお、本発明の外装具は合成樹脂材を真空成形等の成形手段によって筒状に加工し、外面に図柄等の印刷を施した合成樹脂フィルムや紙を巻き付けあるいは貼り付けるようにする場合もある。
【００１８】
また、筒状部は４角筒ではなく３角筒やその他の多角筒や、円筒状のものとする場合もある。
【００１９】
さらに、底板部３は筒状部の下部を全て塞ぐものでなくても事が足り、商品のコーナ部分だけを支承する構成とする場合もある。
【００２０】
また、筒状部の一部に窓を設け、商品のパッケージの一部を外側から見ることができるようにする場合もある。
【００２１】
【発明の効果】
本発明の外装具によれば、個別の商品に商品のキャッチフレーズ等のＰＯＰ広告や商品の説明を十分に付すことができて商品の販売促進を図ることができ、しかも外装具は商品の製造者において商品を収容した状態で出荷することができるので、小売店において広告パネルを掲示するような手間やスペースを不要ならしめることができる。
【００２２】
また、外装具は商品パッケージのように耐久性のある構成とする必要がないので、安価に制作することができ、特に小ロットの商品に付す広告手段として好適である。
【００２３】
さらに、外装具の外面に商品説明や顧客の注目を惹くデザインを十分に表示することができるので、商品パッケージそのものはシンプルなデザインのもので済み、しかも収容されている商品は容易に外装具から抜き出すことができるので、顧客が購入する商品を目立たせたくないような場合には外装具から商品を抜き出せば済むというメリットもある。
【００２４】
また、外装具の内面に商品の取扱い説明等の印刷を施すことができ、特に輸入商品のように商品パッケージには外国語の表示しかないような場合であってもその商品の使用方法や使用上の注意等を十分に示すことができる。もちろん、輸出商品の場合にも、輸出先の言語による表示を十分に示すことができ、特に言語の異なる多数の国や地域に輸出をする場合でも商品パッケージ自体は各国や地域に対応して制作する必要がなく、安価に制作できる本発明の外装具だけを各国や地域に対応する表示のものとすればよいという利点がある。
【００２５】
さらに、従来の輸入商品等の商品パッケージに直接貼り付けられているラベルとあまり変わらない程度の費用で制作することができるというメリットがありながらラベルを貼り付けるよりも外観の体裁が格段に向上し、顧客の購買意欲の向上を期すことができる。
【図面の簡単な説明】
【図１】本発明に係る外装具の実施例を示す斜視図。
【図２】本発明に係る外装具の実施例を示す展開図。
【符号の説明】
１  筒状部
２  商品出し入れ口
３  底板部
４  突片部
５  吊り下げ用孔
６  切欠部
７  商品
８、９  印刷
１０  折り目
１１  糊代
【図１】
2004315044.tif 000003
【図２】
2004315044.tif 000004